(57)【要約】      （修正有）【課題】吸引口の先端部に１箇所以上の切り込みを入れることにより、ジュース等の被対象物を最後まで吸い取る事が可能な機能と、吸い出す際の不快な異音の減少、吸引口が被対象物に吸着する問題点を解決するため、先端構造に凹凸形状、又は円形状、波型形状等を用途に応じて形状加工した飲料用ストローおよび産業用バキュームノズルを提供する。【解決手段】ストロー等の吸引部分の先端構造には、凹凸形状、又は円形状、波型形状等に切り込みを１箇所以上入れ、吸引対象となる水分等と共に隙間から空気も吸い上げ、底面等に吸引被対象物が残留することなく吸引が可能となる。更に、飲料用容器の底面等に対して、異音発生も容器等を毀損させることも極めて減少される。又、１箇所以上の隙間を有することで吸引口の役目をすると同時に通気口となり、空気圧が一定であると同時に、吸着していた吸引口の先端が容易に剥離する機能を備えた構造となる。【選択図】図３
2015139614.tif 000002
【特許請求の範囲】
【請求項１】
本発明のストローおよび吸引器具装置類の先端構造は、
一般的な直線カットされた切り口ではなく、凹凸形状または円形状、波型形状等に切り込みを入れ、この隙間が通気口となり、１箇所以上有する先端部分の構造であることを特徴とする。
【請求項２】
本発明のストローおよび吸引器具装置類の先端構造は、
吸引対象となる水分等と共に隙間から空気も吸い上げ、底面に吸引被対象物が残留することなく吸引が可能となることを特徴とする。
【請求項３】
本発明のストローおよび吸引器具装置類の先端構造は、
飲料用容器の内面や歯科治療時の口腔内外等の被対象物に対して吸着する力が過剰な場合、被対象物を毀損させることが極めて減少される先端構造であることを特徴とする。
【請求項４】
本発明のストローおよび吸引器具装置類の先端構造は、
吸引器具類内の空気圧が下がった時、切り込みを有した先端部が吸引器具装置類内に抵抗なく吸い込まれる構造となり、１箇所以上の隙間を有することで吸引口の役目をすると同時に通気口となり、空気が流入し吸引器具装置類内の空気圧が回復すると同時に、吸着していた吸引口の先端が容易に剥離することを特徴とする。
【請求項５】
本発明の飲料用ストローの部材は、
主にポリプロピレン製等で成形される場合が多いが、用途に応じて希にポリカーボネート製等の硬質系プラスチック素材により成形される場合もあることを特徴とする。
【請求項６】
本発明の産業用吸引器具装置類の先端構造部材は、
主にステンレスやチタン、アルミニウム等の合成金属製又は鋼合金製などの金属製であってもよい。更に、銅をベースにニッケル、金、又は銀等により表面にメッキ処理を行う場合や、ダイヤモンドコーティング等、先端の摩耗や劣化を防止するための塗膜コーティング保護加工をされてあってもよいことを特徴とする。
【請求項７】
本発明のストローおよび吸引器具装置類の先端構造の形状は、
成形加工にあっての金型設計等も従来品と同様の作業手順で簡易であり、量産化によるコストの削減も可能であり、外観的な意匠性においても良好であることを特徴とする。
【発明の詳細な説明】
【技術分野】
【０００１】
本発明は、ストローおよび吸引器具装置類の先端構造の技術に関するものであり、より詳しくは、吸引部分の先端構造が直線的な切り口ではなく、凹凸形状、又は円形状、波状等に切り込みを入れ、この隙間を有する先端部分の構造であることから、吸引対象となる水分等と共に隙間から空気も吸い上げ、底面に吸引被対象物が残留することなく吸引が可能となる。更に飲料用容器の内面や歯科治療中の口腔内外等の被対象物に対して吸着する力が過剰な場合、被対象物を毀損させることが極めて減少される吸引器具装置類の先端構造に関する。
【０００２】
本発明は、吸引器具類内の空気圧が下がった時、切り込みを有した先端部が吸引器具装置類内に抵抗なく吸い込まれる構造となり、隙間を有することで吸引口の役目をすると同時に通気口となり、空気が流入し吸引器具装置類内の空気圧が回復すると同時に、吸着していた吸引口の先端が容易に剥離することから、民生飲料用ストローや、産業用では歯科治療時のバキュームチップ、或いはバキューム機能を有した胃カメラ、腸カメラ等の内視鏡との併用、掃除機等の吸引口、水中ポンプの先端ノズル、下水等汚泥または糞尿等のバキューム式採取装置の先端ノズル、岩盤等の採掘用ドリルとの併用等、吸引又は吸水機能を伴うバキュームノズルの技術に関する。
【背景技術】
【０００３】
従来の吸引器具装置類の先端構造には、「図１」のように、先端を垂直方向に直線カットされた安価な商品や、「図２」のように、先端を傾斜切されたものが実用技術としてあった。
【０００４】
例えば「図１」はファストフード店やコンビニエンスストアで利用される一般的なプラスチック製のストローであり、「図２」はジュースや牛乳類等の飲料ブリックパック等に付帯している二重管引出し式のストロー構造は、今やスタンダードに周知されたストローの吸引構造となっている。
【０００５】
特許文献１には、「図２」に示す二重管引出し式のストロー構造がある。素材はポリプロピレン製等であり、その外管と内管を相対スライドさせて所定の必要な長さに伸長させ、その際、内管の基端部に形成されたフランジ状のリングが外管の長手方向に沿い周方向に形成された少くとも１つの通気溝の後半の傾斜部にガイドされて樹脂弾性を介しスムーズに前進し、先端でスプリングバックして該内管の基端部の該リングが外管の先細漏斗状部に線的に密着してシール状態を現出し、そこで、内管の先端のエッジ状開口で収納体の吸引用孔の薄膜を突き破り、内管を該収納体の内部に挿入し、その際、外管の長手方向に沿って形成された凹状の通気溝が該薄膜に臨まされ、空隙を形成して収納体の内部が外気に連通状態にされ、外管の基端に吸引作用を及ぼしてジュース、牛乳等の飲料を飲用し、その間、収納体内は圧力変化が生ぜず、そのため、外形が変形したり、又、異音発生等することもなく、又、不測にしてストローに長手方向の戻り外力が印加されても、内管の基端部のフランジ状のリングが外管の先細状漏斗状部の基端に近接して形成されている通気溝の先端の段差部に掛止してストッパとして機能し、外管に対する内管の戻りが防がれて不必要な短尺化が阻止され、収納体内の最後の残液まで吸引する作用が充分になされ、全量の飲料が確実に飲用に供されるようにし、外管の通気溝は吸引時の吸収体の内外の圧力バランスを保証すると共にストローの所定長さを有効に保持し、構造が簡単でコストダウンも図れるようにした技術的手段を講じられた最もポピュラーな形状であるが、底面に残る液体残留物等をすべて残さず吸引出来るかと言えば、完全には吸引しきれない。
【０００６】
特許文献２には、双子ストローと呼ばれる実用新案出願技術がある。この双子ストローとはその名の通り、主ストローと副ストローの２本が１組となって構成される構造であり、主ストローは特許文献１と同様に先端は傾斜加工を施した構造となり、副ストローは通気用のためだけのものである。この双子ストローの仕様では通常のストローの２本分の体積が必要となり、とても実用的に市販可能で経済的な技術とは言えない。
【０００７】
特許文献３には、吸引口と基端周面に凹凸状の切り込みが設けられ、特に果実の房内の果肉及び果汁を効率的に取り出す事が可能な大型柑橘類の果実用ストローであるが、この技術製品ではストローの先端で果実の皮部をねじりながらくり貫く作業が必要なため、素材にポリカーボネート樹脂等または、アルミニウム合金等の金属材料が使用されており、そのため１本あたりの販売コストは数百円と高価となる。
【０００８】
特許文献４には、歯科治療時に口腔内外の唾液等のバキュームのため、先端に取付けて使用するバキュームチップに関する技術であり、吸引口が口の中に吸着する問題点を解消したバキュームチップがある。しかし、くり貫かれたＶ字形の先端部について実際に試作をしてみると、ポリプロピレンまたはフィルム系樹脂等の柔らかいビニール系プラスチック素材では水圧の方が勝り開閉タイミングが思うようにならず、逆に堅い金属系素材では相当な減圧が発生しない限り、スムーズな開閉は困難である事が解った。
【先行技術文献】
【特許文献】
【０００９】
【特許文献１】特許公開平７−２２２６６４（ストロー構造）
【特許文献２】実用新案公開平７−２０９３９（双子ストロー）
【特許文献３】登録実用新案第３１１６０４４（大型柑橘類の果実用ストロー）
【特許文献４】特許公開２００８−１９４４３３（歯科用バキュームチップ）
【発明の概要】
【発明が解決しようとする課題】
【００１０】
本発明は、主に一般的に実利用されている飲料用ストローおよび産業用吸引器具装置類の先端構造に関し、吸引口の先端部に切り込みを入れる事により、ジュース等の液体被対象物を最後まで吸い取る事が可能な機能と、吸い出す際の不快な異音の減少、吸引口が容器底面等の被対象物に吸着する問題点を解決するため、先端構造に凹凸形状、又は円形状、波型形状等を用途に応じて形状加工した飲料用ストローおよび、産業用吸引器具装置類及びバキュームノズルを提供する。
【課題を解決するための手段】
【００１１】
以下、本発明において、上記目的を達成するために採用した構成について説明する。
飲料用ストローの先端構造については、吸引部分の先端構造が直線的な切り口ではなく、凹凸形状、又は円形状、波型形状等に切り込みを１箇所以上入れ、この隙間を有する先端部分の構造であることから、吸引対象となる水分等と共に隙間から空気も吸い上げ、底面に吸引対象物が残留することなく吸引が可能となる機能を備えることを特徴とする。
【００１２】
更に飲料用容器の内面、又は底面や、歯科治療時の口腔内外等の被対象物に対して、吸着する力が過剰な場合、先端部分に通気口となる切り込みを１箇所以上有する構造であることから、被対象物を毀損させることが極めて減少される吸引器具装置類の先端構造である機能を備えることを特徴とする。
【００１３】
本発明は、吸引器具類内の空気圧が下がった時、１箇所以上の切り込みを有した先端部が吸引器具装置類内に抵抗なく吸い込まれる構造となり、１箇所以上の隙間を有することで吸引口の役目をすると同時に通気口となり、空気が流入し吸引器具装置類内の空気圧が回復すると同時に、吸着していた吸引口の先端が容易に剥離する機能を備えることを特徴とする。
【００１４】
次に各部材の特徴を解説する。
ストローおよび吸引器具装置類の先端構造で使用される部材について、
飲料用ストローでは、主にポリプロピレン製等で成形される場合が多いが、用途に応じて希にポリカーボネート製等の硬質系プラスチック素材により成形される場合もある。
【００１５】
産業用吸引器具装置類の先端構造で使用される素材では、主にステンレスやチタン、アルミニウム等の合成金属製、又は鋼合金製などの金属製であってもよい。更に、銅をベースにニッケル、金、又は銀等により表面にメッキ処理を行う場合や、ダイヤモンドコーティング等、先端の摩耗や劣化を防止するための塗膜コーティング保護加工をされてあってもよい。
【発明の効果】
【００１６】
本発明の技術的な効果としては、
飲料用ストローのタイプであっても、産業用吸引器具装置類の先端構造であっても、共通して、凹凸形状または円形状、波型形状等に１箇所以上の切り込みが入れられており、この隙間を有する先端部分の構造であることから、先端の吸引部分が被対象物となる液体等を残さず吸引し、かつ、同時に隙間部分が通気口となり空気が流入する構造であることから、吸引装置内の空気圧は常に一定を保ち、被対象物の残留物のある容器底面等を毀損させずに、吸引口が吸着することも無くなるという優れた効果が奏される。
【００１７】
又、本発明による形状であれば、成形加工にあっての金型設計等も従来品と同様の作業手順で簡易であり、量産化によるコストの削減も可能であり、外観的な意匠性においても良好である。
【図面の簡単な説明】
【００１８】
図１は、ファストフード店やコンビニエンスストアーで広く利用されている、直線的にカットされた一般的なストロータイプを示す図である。
図２は、紙製パック等に附属ユニット化されている二段式のストロータイプを示すものである。
【００１９】
図３は、本発明による先端構造を正面から見た場合を示したものである。
（ａ）は三角切り込み、（ｂ）は半楕円切り込み、（ｃ）は半円切り込み、（ｄ）は四角または長方形切り込み、（ｅ）は台形切り込み、（ｆ）は波型形状切り込みのタイプを示したものである。
【００２０】
図４は、本発明による先端構造を側面から見た場合を示したものである。
（ａ）は三角切り込み、（ｂ）は半楕円切り込み、（ｃ）は半円切り込み、（ｄ）は四角または長方形切り込み、（ｅ）は台形切り込み、（ｆ）は波型形状切り込みのタイプを示したものである。
【００２１】
図５は、本発明による先端構造の応用例を示したものである。
（ａ）は四角または長方形切り込み、（ｂ）は半凹型エッジ切り込み、（ｃ）は全凹型エッジ切り込み、（ｄ）は三角切り込み、（ｅ）は半凸型エッジ切り込み、（ｆ）は全凸型エッジ切り込みのタイプを示したものである。
【発明を実施するための形態】
【００２２】
次に、本発明の実施形態について、いくつかの具体的な例を挙げて説明する。
「実施例１」
実施例１では、「図１」に示す従来の飲料用ストローと比較して、本発明の飲料用ストローの有用性および利用可能な製品事例について説明する。
【００２３】
実施例１で従来の飲料用ストローは、直線的なカットであるため、被対象物のある底面付近となると残留物が残りやすく、又、吸引時には不快な異音が出てしまうことがあった。
【００２４】
従来の飲料用ストローでは底面付近の吸引時に不快感が残ったが、本発明の飲料用ストローでは、先端の部分を切り込み加工処理がなされていることにより、被対象物が容器底面に残留することは極めて減少し、かつ、吸引時の異音による不快感が解消される。
【００２５】
「実施例２」
実施例２では、産業用吸引器具装置類の先端構造の汎用性について説明する。
実施例１では、コップやグラス、紙パック等の容器に、牛乳やジュース等の飲料用液体の被対象物があることを想定していたが、
実施例２では、歯科治療時の口腔内外等の唾液等が被対象物になったり、或いはバキューム機能を有した胃カメラ、腸カメラ等の内視鏡との併用、掃除機等の吸引口、水中ポンプの先端ノズル、下水等汚泥または糞尿等のバキューム式採取装置の先端ノズル、岩盤等の採掘用ドリルとの併用等、吸引又は、吸水機能を伴うバキュームノズルとして、広範囲に産業上の利用が可能となった。
【産業上の利用可能性】
【００２６】
本発明の主たる被対象物となる吸引が必要な液体、又は土石を含む粉体等は、身近な飲料用ストローから、産業上利用可能な吸引器具装置類まで、市場規模としては計り知れないほど広範囲な産業分野に影響を及ぼす技術として、幅広く技術提供が可能な利用範囲と利用可能性を兼ね備えた発明である。
【図１】
2015139614.tif 000003
【図２】
2015139614.tif 000004
【図３】
2015139614.tif 000005
【図４】
2015139614.tif 000006
【図５】
2015139614.tif 000007